(57)【要約】【課題】航空機などの旅客移動体において、複数の視聴装置でＡＶコンテンツを視聴可能とし、乗客に音声の途切れやズレによる不快感を与えることなく視聴する装置の切り替えることが可能なＡＶコンテンツ視聴システムを提供する。【解決手段】乗客が自座席１ｍの小型ビデオコントローラ５ｍの小型映像表示部５８の視聴の途中で、座席端末装置４ｎの映像表示部６ｎへの視聴に切り替えると、自座席１ｍの小型ビデオコントローラ５ｍは、映像データを前座席１ｎの座席端末装置４ｎに伝送して映像表示部６ｎに表示させるが、音声データは伝送せず、そのまま自座席１ｍの座席端末装置４ｍに接続されたヘッドホン７ｍで聴取する。【選択図】図３
2013031160.tif 000002
【特許請求の範囲】
【請求項１】
映像データ及び音声データを含む配信用のＡＶコンテンツを蓄積したＡＶサーバと伝送路を介して接続されるとともに、少なくとも前記音声データを受信して出力する座席端末装置と、
前記座席端末装置に端末装置伝送路を介して接続されるとともに、少なくとも前記映像データを受信して表示する小型端末装置と、
前記小型端末装置から前記映像データを受信して表示する表示端末装置とを備え、
前記映像データを前記小型端末装置と前記表示端末装置とで選択的に切り替えて表示し、又は同時に表示させることを特徴とするＡＶコンテンツ視聴システム。
【請求項２】
前記座席端末装置は、前後に配列された複数の座席にそれぞれ配設され、自座席に配設された座席端末装置は、少なくとも前記音声データを受信し出力する座席端末装置であり、
自座席の前座席の背部に配設された座席端末装置は、映像表示部が接続され、前記小型端末装置から前記映像データを受信して表示する表示端末装置であることを特徴とする請求項１に記載のＡＶコンテンツ視聴システム。
【請求項３】
前記小型端末装置は、小型映像表示部と、前記ＡＶサーバから配信されたＡＶコンテンツを蓄積する映像音声蓄積部とを備え、
前記映像音声蓄積部から読み出された前記ＡＶコンテンツは、映像データと音声データとに分離され、
前記分離された映像データは、前記小型映像表示部に表示され、又は、自座席の座席端末装置の前記端末装置伝送路を経由して伝送された後、自座席の前記座席端末装置に接続された映像表示部に表示されることを特徴とする請求項１に記載のＡＶコンテンツ視聴システム。
【請求項４】
前記小型端末装置は、小型映像表示部と、前記ＡＶサーバから配信されたＡＶコンテンツを蓄積する映像音声蓄積部とを備え、
前記映像音声蓄積部から読み出された前記ＡＶコンテンツは、映像データと音声データとに分離され、
前記分離された映像データは、前記小型映像表示部に表示され、又は、自座席の座席端末装置の前記端末装置伝送路を経由して伝送された後、前記前座席の座席端末装置に接続された映像表示部に表示されることを特徴とする請求項２に記載のＡＶコンテンツ視聴システム。
【請求項５】
前記座席端末装置は、前記ＡＶサーバから配信されたＡＶコンテンツを蓄積する映像音声蓄積部を備え、
前記映像音声蓄積部から読み出された前記ＡＶコンテンツは、映像データと音声データとに分離され、
前記分離された音声データを自座席の座席端末装置から出力し、
前記分離された映像データは、自座席の前記座席端末装置に接続された映像表示部に表示され、又は、自座席の座席端末装置の前記端末装置伝送路を経由して伝送された後、前記小型端末装置の前記小型映像表示部に表示されることを特徴とする請求項１に記載のＡＶコンテンツ視聴システム。
【請求項６】
前記座席端末装置は、前記ＡＶサーバから配信されたＡＶコンテンツを蓄積する映像音声蓄積部を備え、
前記映像音声蓄積部から読み出された前記ＡＶコンテンツは、映像データと音声データとに分離され、
前記分離された音声データを自座席の座席端末装置から出力し、
前記分離された映像データは、自座席の座席端末装置の前記端末装置伝送路を経由して伝送された後、前記小型端末装置の前記小型映像表示部に表示され、又は、前記前座席の座席端末装置に接続された映像表示部に表示されることを特徴とする請求項２に記載のＡＶコンテンツ視聴システム。
【請求項７】
前記小型端末装置は小型ビデオコントローラであり、所定のＡＶコンテンツの選択、及び前記ＡＶサーバに配信を指示する操作を行うことを特徴とする請求項１乃至６のいずれかに記載のＡＶコンテンツ視聴システム。
【請求項８】
前記ＡＶサーバから配信されるＡＶコンテンツは符号化された圧縮データであり、前記小型端末装置又は前記座席端末装置の前記映像音声蓄積部に蓄積され、前記小型端末装置又は前記座席端末装置に設けられた復号器により、復号されて出力されることを特徴とする請求項１乃至７のいずれかにに記載のＡＶコンテンツ視聴システム。
【請求項９】
前記音声データは、自座席の座席端末装置に接続されるヘッドホンにより出力されることを特徴とする請求項１乃至８のいずれかに記載のＡＶコンテンツ視聴システム。
【請求項１０】
前記小型映像表示部で表示される映像又は前記映像表示部で表示される映像と、前記ヘッドホンで出力される音声とが同期するように、前記映像データの表示タイミング及び前記音声データの出力タイミングを調整することを特徴とする請求項１乃至９のいずれかに記載のＡＶコンテンツ視聴システム。
【請求項１１】
航空機に搭載されることを特徴とする請求項１乃至１０のいずれかに記載のＡＶコンテンツ視聴システム。
【発明の詳細な説明】
【技術分野】
【０００１】
本発明は、航空機などの旅客移動体の客室内に設置される各座席に搭載、配備されて、映画、音楽などのＡＶ（オーディオビジュアル）ソフトやゲームソフトを視聴するＡＶコンテンツ視聴システムに関する。
【背景技術】
【０００２】
近年、航空機などの旅客移動体においては、機内又は客室内に搭載、配備されているＩＦＥ（Ｉｎ−Ｆｌｉｇｈｔ  Ｅｎｔｅｒｔａｉｎｍｅｎｔ）と呼ばれる機内エンターテインメントシステムにより、乗客に種々の機内サービスが提供されている。機内サービスとしては、例えば、乗客は配信される映画や音楽などを各座席のバックシート（背もたれ）に備えられている液晶表示装置の映像表示部や、搭乗時に配布されるヘッドホンを使用して視聴することができるほか、同様に各座席の肘掛け部に備え付けられているハンドセットと呼ばれる操作用端末装置などを用いてゲームをしたり、航空機外部へ電話をかけたり、インターネットへの接続サービスを受けたりすることが可能なシステムも提供されている（例えば、特許文献１及び２参照）。これらのサービスは機内に配備されているＡＶサーバからネットワーク伝送路を通じて各座席に設けた座席端末装置へデジタルデータで伝送される。
【０００３】
以下、従来の航空機内におけるＡＶコンテンツ視聴システム８００について図１７を用いて説明する。図１７は従来例にかかるＡＶコンテンツ視聴システム８００の全体構成を示すブロック図及び外観斜視図である。
【０００４】
図１７において、ＡＶコンテンツ視聴システム８００は、複数の座席１ｍ、１ｎに沿ってネットワーク伝送路２（以下、「伝送路」という。）が配設されており、この伝送路２は、ＡＶサーバ３に接続されている。ＡＶサーバ３は、映画やゲームなどの映像データと音声データとからなるＡＶコンテンツを提供する。さらに、必要に応じて搭乗中の航空機に関する飛行情報等も提供できる構成となっている。
【０００５】
伝送路２はイーサネット（登録商標）ケーブルで構成されており、この伝送路２には座席ごとに座席端末装置１４ｍ、１４ｎが接続されている。また、それぞれの座席の背部には液晶ディスプレイ等の映像表示部６ｍ、６ｎが配設され、それぞれの座席にはコントローラ１５ｍ、１５ｎとヘッドホン７ｍ、７ｎが接続されている。これらの機器は座席端末装置１４ｍ、１４ｎを介してＡＶサーバ３と通信可能に接続されている。また、乗務員室８においてマイクロホン８ａが、アナログ音声信号をデジタル音声パケットに変換してイーサネット（登録商標）に接続するためのＩＰ（Ｉｎｔｅｒｎｅｔ  Ｐｒｏｔｏｃｏｌ）アダプタ８ｂを介して伝送路２に接続されている。このマイクロホン８ａと同様のものはコックピットにも設置され（図示せず）、客室乗務員及び機長はそれぞれマイクロホンを用いて乗客に対して機内アナウンス等を行う。
【０００６】
このような構成において、例えば、自座席１ｍに着座した乗客がコントローラ１５ｍを操作して見たい映画を選ぶと、その映画の映像及び音声は、ＡＶサーバ３から乗客の前座席１ｎの座席端末装置１４ｎにダウンロードされ蓄積される（予め複数のＡＶコンテンツを含むＡＶデータが座席端末装置に蓄積されている場合もある）。
【０００７】
乗客が選んだ映画の映像は、前座席１ｎの映像表示部６ｎに表示されるが、音声は、座席端末装置１４ｎから後方の座席端末装置１４ｍに伝送路２を介してデジタルデータ（音声パケット）で伝送された後、座席端末装置１４ｍにおいて復調され、元のアナログ音声信号に戻される。乗客はこのアナログ音声をヘッドホン７ｍで聴くことができる。
【０００８】
上述した客室乗務員や機長からの機内アナウンスも、自座席１ｍの座席端末装置１４ｍを介してヘッドホン７ｍで聞くことができる構成である。機内アナウンスは、天井に設けたスピーカ（図示せず）からも聞くことができるようになっているが、ヘッドホン７ｍを映画等の視聴で利用している乗客は、スピーカからのアナウンスを聞き取れない。このため、機内アナウンスは、伝送路２を介して座席端末装置１４ｍに伝送された後、座席端末装置内において、映画の音声をアナウンスの音声に自動的に切り換えてヘッドホン７ｍで聞ける構成にしている。
【０００９】
一方、近年、屋外でビデオやオーディオを楽しめる携帯端末装置が普及しつつある。このような携帯端末装置とテレビなどの大型表示装置を連携させ、携帯端末装置で視聴していたＡＶコンテンツを大型表示装置で視聴する手法が提案されている（例えば、特許文献３及び４参照）。このような、視聴する装置を切り替えるサービスを航空機内で提供する場合、コントローラ１５ｍ、１５ｎに座席端末装置１４ｍ、１４ｎの視聴機能を持たせることが考えられる。例えば、コントローラ１５ｍは座席端末装置１４ｍと同様に、ＡＶサーバ３から伝送路２を通じて映画などの映像データ及び音声データを受信し、映像データはコントローラ１５ｍに搭載された小型ディスプレイ（図示せず）に表示し、音声データはコントローラ１５ｍから後方の座席端末装置１４ｍに伝送し、ヘッドホン７ｍに出力する。
【００１０】
そして、視聴する装置を切り替える場合、コントローラ１５ｍが受信し小型ディスプレイに表示していた映画を、コントローラ１５ｍの操作により、前部の座席端末装置１４ｎが受信し、映像データを映像表示部６ｎに表示するよう切り替えるが、音声データは座席端末装置１４ｎから座席端末装置１４ｍに転送し、座席端末装置１４ｍを介してヘッドホン７ｍに出力することで、自座席１ｍに着座した乗客にサービスを提供することが可能となる。
【先行技術文献】
【特許文献】
【００１１】
【特許文献１】特開平７−１４３０８３号公報
【特許文献２】特開２００６−２４６２９７号公報
【特許文献３】特開２００９−１３０８７６号公報
【特許文献４】特開２０１０−０７４５７９号公報
【発明の概要】
【発明が解決しようとする課題】
【００１２】
しかしながら、このような航空機内におけるＡＶコンテンツ視聴システムでは、コントローラ１５ｍから座席端末装置１４ｎに視聴する装置が切り替わる間、後方の座席端末装置１４ｍのヘッドホン７ｍから出力される音声の途切れやズレが生じてしまい、視聴中の乗客に不快感を与えてしまう。映像の表示にも途切れやズレが生じるが、この場合は小型ディスプレイと映像表示部間で視点も移動させるため、違和感を感じることはほとんどない。
【００１３】
本発明の目的は、上述したような課題を解決するためになされたものであり、航空機などの旅客移動体において、複数の視聴装置でＡＶコンテンツを視聴可能とし、乗客に音声の途切れやズレによる不快感を与えることなく、視聴する装置を切り替えることが可能なＡＶコンテンツ視聴システムを提供することにある。
【課題を解決するための手段】
【００１４】
前記課題を解決するために、本発明のＡＶコンテンツ視聴システムは、
映像データ及び音声データを含む配信用のＡＶコンテンツを蓄積したＡＶサーバと伝送路を介して接続されるとともに、少なくとも前記音声データを受信し出力する座席端末装置と、
前記座席端末装置に端末装置伝送路を介して接続されるとともに、少なくとも前記映像データを受信して表示する小型端末装置と、
前記小型端末装置から前記映像データを受信して表示する表示端末装置と、
を備え、
前記映像データを前記小型端末装置と前記表示端末装置とで選択的に切り替えて表示し、又は同時に表示させることを特徴とする。
【００１５】
このような構成により、既存のＡＶサービスシステムを運用しながら、既存の機器を有効に活用して複数の視聴装置によるＡＶサービスを提供する際、小型の視聴端末装置から前部のディスプレイへの視聴切り替えを音声の途切れやズレなく実現することができ、乗客はより大きな映像を楽しむことができる。
【００１６】
また、本発明のＡＶコンテンツ視聴システムにおいて、
前記座席端末装置は、前後に配列された複数の座席にそれぞれ配設され、自座席に配設された座席端末装置は、少なくとも前記音声データを受信し出力する座席端末装置であり、
自座席の前座席の背部に配設された座席端末装置は、映像表示部が接続され、前記小型端末装置から前記映像データを受信して表示する表示端末装置であることを特徴とする。
【００１７】
このような構成により、前座席の大きなディスプレイが前座席の座席端末装置と接続されている場合においても、小型の視聴端末装置から前座席の大きなディスプレイへの視聴切り替えを音声の途切れやズレなく実現することができる。
【００１８】
さらに、本発明のＡＶコンテンツ視聴システムにおいて、
前記小型端末装置は、小型映像表示部と、前記ＡＶサーバから配信されたＡＶコンテンツを蓄積する映像音声蓄積部とを備え、
前記映像音声蓄積部から読み出された前記ＡＶコンテンツは、映像データと音声データとに分離され、前記分離された映像データは、前記小型映像表示部に表示され、又は、自座席の座席端末装置の前記端末装置伝送路を経由して伝送された後、自座席の前記座席端末装置に接続された映像表示部に表示されるようにしてもよい。
【００１９】
このような構成により、小型の視聴端末装置は映像音声蓄積部からＡＶコンテンツを読み出し、小型の視聴端末装置から自座席の座席端末装置に接続されたディスプレイへの視聴切り替えを音声の途切れやズレなく実現することができる。
【００２０】
またさらに、本発明のＡＶコンテンツ視聴システムにおいて、
前記座席端末装置は、前記ＡＶサーバから配信されたＡＶコンテンツを蓄積する映像音声蓄積部を備え、
前記映像音声蓄積部から読み出された前記ＡＶコンテンツは、映像データと音声データとに分離され、
前記分離された音声データを自座席の座席端末装置から出力し、
前記分離された映像データは、自座席の前記座席端末装置に接続された映像表示部に表示され、又は、自座席の座席端末装置の前記端末装置伝送路を経由して伝送された後、前記小型端末装置の前記小型映像表示部に表示されるようにしてもよい。
【００２１】
このような構成により、座席端末装置は映像音声蓄積部からＡＶコンテンツを読み出し、自座席の座席端末装置に接続されたディスプレイから小型の視聴端末装置への視聴切り替えを、音声の途切れやズレなく実現することができる。
【００２２】
また、本発明のＡＶコンテンツ視聴システムにおいて、前記小型映像表示部で表示される映像又は前記映像表示部で表示される映像と、ヘッドホンから出力される音声とが同期するように、前記映像データの表示タイミング及び前記音声データの出力タイミングを調整してもよい。
【００２３】
このような構成により、乗客は映像に対してズレのない音声を聴くことができる。
【００２４】
さらに、本発明のＡＶコンテンツ視聴システムは、航空機に搭載され、これにより、航空機内において高品質なＡＶコンテンツ視聴システムを実現することができる。
【発明の効果】
【００２５】
本発明によれば、航空機などの旅客移動体において、複数の視聴装置でＡＶコンテンツを視聴可能とし、乗客に音声の途切れやズレによる不快感を与えることなく、視聴する装置を切り替えることが可能なＡＶコンテンツ視聴システムを提供することができる。
【図面の簡単な説明】
【００２６】
【図１】本発明の実施の形態１にかかるＡＶコンテンツ視聴システム１００の全体構成を示すブロック図及び外観斜視図である。
【図２】図１の座席端末装置４ｍ，４ｎ及び小型ビデオコントローラ５ｍの詳細構成を示すブロック図である。
【図３】図１の座席１ｍ，１ｎ及びその周辺装置の詳細を示す外観斜視図である。
【図４】図１のＡＶコンテンツ視聴システム１００の各動作を示すタイミングチャートである。
【図５】本発明の実施の形態２にかかるＡＶコンテンツ視聴システム２００の全体構成を示すブロック図及び外観斜視図である。
【図６】図４の座席端末装置４ｍ，４ｎ及び小型ビデオコントローラ５ｍの詳細構成を示すブロック図である。
【図７】図４のＡＶコンテンツ視聴システム２００の各動作を示すタイミングチャートである。
【図８】本発明の実施の形態３にかかるＡＶコンテンツ視聴システム３００の全体構成を示すブロック図及び外観斜視図である。
【図９】図８の座席端末装置４ｍ，４ｎ及び小型ビデオコントローラ５ｍの詳細構成を示すブロック図である。
【図１０】図８のＡＶコンテンツ視聴システム３００の各動作を示すタイミングチャートである。
【図１１】本発明の実施の形態４にかかるＡＶコンテンツ視聴システム４００の全体構成を示すブロック図及び外観斜視図である。
【図１２】図１１の座席端末装置４ｍ，４ｎ及び小型ビデオコントローラ５ｍの詳細構成を示すブロック図である。
【図１３】図１１のＡＶコンテンツ視聴システム４００の各動作を示すタイミングチャートである。
【図１４】本発明の実施の形態５にかかるＡＶコンテンツ視聴システム５００の全体構成を示すブロック図及び外観斜視図である。
【図１５】本発明の実施の形態６にかかるＡＶコンテンツ視聴システム６００の全体構成を示すブロック図及び外観斜視図である。
【図１６】本発明の実施の形態７にかかるＡＶコンテンツ視聴システム７００の全体構成を示すブロック図及び外観斜視図である。
【図１７】従来例にかかるＡＶコンテンツ視聴システム８００の全体構成を示すブロック図及び外観斜視図である。
【発明を実施するための形態】
【００２７】
以下、本発明にかかる各実施の形態について、図面を参照して詳しく説明する。図面において、同様の構成要素は同様の符号を付す。
【００２８】
（実施の形態１）
本発明の実施の形態１にかかるＡＶコンテンツ視聴システム１００について、図１〜図４を参照して以下説明する。
【００２９】
図１は本発明の実施の形態１にかかるＡＶコンテンツ視聴システム１００の全体構成を示すブロック図及び外観斜視図である。図１の本実施の形態のＡＶコンテンツ視聴システム１００の外観上の構成は、図１７の従来例にかかるＡＶコンテンツ視聴システム８００と比較して、
（１）コントローラ１５ｍ、１５ｎに代わって、小型ビデオコントローラ５ｍ、５ｎを新たに付加したこと、
（２）座席端末装置１４ｍ、１４ｎに代わって、小型ビデオコントローラ５ｍ、５ｎとのインタフェースを備えた座席端末装置４ｍ、４ｎを設置したことを特徴としている。
それ以外の部分は同じであるので同一の符号を付して、既に説明した部分については説明を省略する。
【００３０】
図２は図１の座席端末装置４ｍ，４ｎ及び小型ビデオコントローラ５ｍの詳細構成を示すブロック図であり、図３は図１の座席１ｍ，１ｎ及びその周辺装置の詳細を示す外観斜視図である。図２及び図３において、ＡＶコンテンツ視聴システム１００は、図１で説明した自座席１ｍに設置される座席端末装置４ｍと、小型ビデオコントローラ５ｍと、前座席１ｎに設置される座席端末装置４ｎと、その周辺の構成とを備えて構成される。図２においては、ＡＶサーバ３に繋がる伝送路２に接続された座席端末装置４ｎ（前座席１ｎ）、４ｍ（自座席１ｍ）、小型ビデオコントローラ５ｍをそれぞれ図の点線枠で示している。
【００３１】
これらの構成ブロックのうち、まず、座席端末装置４ｍについて説明する。座席端末装置４ｍは、ＣＰＵ４１と、ＲＯＭ４２と、映像音声蓄積部４３と、映像デコーダ４４と、音声デコーダ４５と、ネットワークＩ／Ｆ４６と、端末装置Ｉ／Ｆ４７とを備えて構成される。なお、座席端末装置４ｎについても同様の構成要素を備えて構成され、それらの説明を省略する。ＣＰＵ４１は、座席端末装置全体を制御するマイコンなどの中央処理装置である。座席端末装置４ｍはこのＣＰＵ４１を含み、以下に説明する構成要素は、図２に示すようにバス４０に接続され、相互に情報を交換する。ＲＯＭ４２にはＣＰＵ４１のプログラムが収納されている。
【００３２】
映像音声蓄積部４３は、ＡＶサーバ３から伝送路２を経由してダウンロードされたＭＰＥＧ（Ｍｏｖｉｎｇ  Ｐｉｃｔｕｒｅ  Ｅｘｐｅｒｔｓ  Ｇｒｏｕｐ）２等で圧縮された圧縮映像データや圧縮音声データを蓄積する。映像デコーダ４４及び音声デコーダ４５は、それぞれ映像音声蓄積部４３に蓄積された圧縮映像データ及び圧縮音声データを復号して再生するための復号器である。映像デコーダ４４には映像表示部６ｍが、音声デコーダ４５にはヘッドホン端子４５ａを介してヘッドホン７ｍが、それぞれ接続される。なお、本実施の形態では、座席端末装置４ｍと映像表示部６ｍが分離しているが、両者を一体化してもよい。
【００３３】
また、コックピットや乗務員室８のマイクロホン８ａからの、機長や客室乗務員等の乗客に対する機内アナウンスも、ＩＰアダプタ８ｂ、伝送路２を介して伝送された後、座席端末装置４ｍに取り込まれて、ヘッドホン７ｍで聴取される。ネットワークインタフェース（以下、インタフェースを「Ｉ／Ｆ」という。）４６は、伝送路２とのインタフェースであり座席端末装置を識別するための固有のアドレス（ＭＡＣアドレス等）を有する。端末装置Ｉ／Ｆ４７は、座席端末装置４ｍに接続される小型ビデオコントローラ５ｍとのインタフェースであり、座席端末装置４ｍと小型ビデオコントローラ５ｍとの間で、コントローラ用端子４７ａ及び端末装置伝送路９を介して信号やデータの交換をおこなう。端末装置伝送路９はイーサネット（登録商標）ケーブルあるいはシリアルバスなどで構成される。
【００３４】
次に、小型ビデオコントローラ５ｍについて説明する。小型ビデオコントローラ５ｍは、座席端末装置４ｍ、４ｎと同様のＣＰＵ５１と、ＲＯＭ５２と、映像音声蓄積部５３と、映像デコーダ５４と、音声デコーダ５５と、端末装置Ｉ／Ｆ５７とを備えて構成され、それらはバス５０で接続されている。小型ビデオコントローラ５ｍの映像音声蓄積部５３に蓄積される圧縮映像データや圧縮音声データは、ＡＶサーバ３から、伝送路２、座席端末装置４ｍのネットワークＩ／Ｆ４６、端末装置Ｉ／Ｆ４７、コントローラ用端子４７ａ、及び端末装置伝送路９を経由して、端末装置Ｉ／Ｆ５７、バス５０を介して配信される。映像デコーダ５４には、小型ビデオコントローラ５ｍに内蔵された小型映像表示部５８が接続され、座席端末装置４ｍ、４ｎの映像表示部６ｍ、６ｎと同様に映像を表示する。コントロールＩ／Ｆ５９は、操作部５９Ａによる乗客の操作入力を受け付けるインタフェースである。ここで、操作部５９Ａは、小型映像表示部５８のタッチパネルの操作部であってもよい。
【００３５】
以上の構成において、次に、本実施の形態のＡＶコンテンツ視聴システム１００の動作について図４を参照して説明する。図４は図１のＡＶコンテンツ視聴システム１００の各動作を示すタイミングチャートである。まず、ＡＶサーバ３に蓄積されたＡＶコンテンツを、自座席１ｍの乗客が前座席１ｎの座席端末装置４ｎで視聴する場合（第１の基本動作）について図４を参照して説明する。
【００３６】
図４の第１の基本動作において、乗客が自身の自座席１ｍの小型ビデオコントローラ５ｍを操作して、見たいＡＶコンテンツを前座席１ｎで（あるいは、前座席１ｎの映像表示部６ｎ）の視聴として選択すると、選択情報を含む要求信号は伝送路２を経由してＡＶサーバ３に送信され、ＡＶサーバ３からは該当のＡＶコンテンツを含む圧縮映像データ及び圧縮音声データからなるＡＶデータが前座席１ｎの座席端末装置４ｎに配信され、内部の映像音声蓄積部４３に一旦蓄積される。乗客が小型ビデオコントローラ５ｍを操作して再生等の指示をすると、例えばＣＰＵが所定のソフトウエアを実行することにより（もしくは、専用のハードウエア回路により）映像音声蓄積部５３に蓄積されたＡＶデータから圧縮映像データ及び圧縮音声データを分離した後、上記圧縮映像データは、前座席１ｎの座席端末装置４ｎ内の映像デコーダ４４で復号化されて映像表示部６ｎに表示される。一方、上記圧縮音声データは、ネットワークＩ／Ｆ４６と伝送路２を介して自座席１ｍの座席端末装置４ｍ宛に送出される。自座席１ｍの座席端末装置４ｍにおいては、取り込んだ圧縮音声データが音声デコーダ４５で復号化された後、自座席１ｍのヘッドホン７ｍで音声として聴取される。
【００３７】
次に、ＡＶサーバ３に蓄積されたＡＶコンテンツを自座席１ｍの乗客が小型ビデオコントローラ５ｍで視聴する場合（第２の基本動作）について図４を参照して説明する。
【００３８】
図４の第２の基本動作において、乗客が自身の自座席１ｍの小型ビデオコントローラ５ｍを操作して、見たいＡＶコンテンツを小型ビデオコントローラ５ｍでの視聴として選択すると、選択情報を含む要求信号は伝送路２を経由してＡＶサーバ３に送信され、ＡＶサーバ３からは該当のＡＶコンテンツを含む圧縮映像データ及び圧縮音声データからなるＡＶデータが自座席１ｍの座席端末装置４ｍを経由して小型ビデオコントローラ５ｍに配信され、内部の映像音声蓄積部５３に一旦蓄積される。乗客が小型ビデオコントローラ５ｍを操作して再生等の指示をすると、例えばＣＰＵが所定のソフトウエアを実行することにより（もしくは、専用のハードウエア回路により）映像音声蓄積部５３に蓄積されたＡＶデータから圧縮映像データ及び圧縮音声データを分離した後、上記圧縮映像データは、小型ビデオコントローラ５ｍ内の映像デコーダ５４で復号化されて小型映像表示部５８に表示される。一方、上記圧縮音声データは、端末装置Ｉ／Ｆ５７と端末装置伝送路９を介して自座席１ｍの座席端末装置４ｍ宛に送出される。自座席１ｍの座席端末装置４ｍにおいては、前述の座席端末装置での視聴と同様、取り込んだ圧縮音声データが音声デコーダ４５で復号化された後、自座席１ｍのヘッドホン７ｍで音声として聴取される。
【００３９】
次に、乗客が小型ビデオコントローラ５ｍの小型映像表示部５８での視聴から座席端末装置４ｎの映像表示部６ｎでの視聴に切り替える場合（第１の切替動作）について説明する。
【００４０】
図４の第１の切替動作において、自座席１ｍの小型ビデオコントローラ５ｍの小型映像表示部５８でＡＶコンテンツを視聴している状態（図４の６１Ａ）において、乗客が自座席１ｍの小型ビデオコントローラ５ｍを操作して座席端末装置４ｎの映像表示部６ｎでの視聴を選択すると、小型ビデオコントローラ５ｍ内の映像音声蓄積部５３に蓄積された圧縮映像データは、内部の映像デコーダ５４には渡されず、端末装置Ｉ／Ｆ５７と端末装置伝送路９を介して、さらには座席端末装置４ｍのネットワークＩ／Ｆ４６と伝送路２を介して、前座席１ｎの座席端末装置４ｎ宛に送出される（図４の６１Ｂ）。前座席１ｎの座席端末装置４ｎにおいては、取り込んだ圧縮映像データが映像デコーダ４４で復号化されて映像表示部６ｎに表示される。一方、圧縮音声データは、視聴する端末装置を切り替える前と変わらず、自座席１ｍの小型ビデオコントローラ５ｍから座席端末装置４ｍ宛に送出され、自座席１ｍのヘッドホン７ｍで音声として聴取される。
【００４１】
この場合、圧縮映像データを伝送路２及び端末装置伝送路９で伝送する時間だけ映像の表示が遅れるので、視聴切り替えに関わらず、自座席１ｍの座席端末装置４ｍの映像音声蓄積部４３から圧縮音声データを読み出すタイミングを伝送路２で伝送する時間だけ遅らせて、また、小型ビデオコントローラ５ｍの映像音声蓄積部５３から圧縮映像データを読み出すタイミングを、伝送路２及び端末装置伝送路９で伝送する時間だけ遅らせることで、前座席１ｎの映像との同期を取るようにしている。この映像との同期を取る方法については、本発明はこれに限らず、映像と音声の圧縮データを同時に読み出して当該時間だけ映像と音声をそれぞれ遅延させるための遅延回路を追加してもよい。さらに、映像と音声のデータにタイムスタンプを挿入して再生し、このタイムスタンプに基づいて遅延量を制御すればさらに正確な同期が可能となる。
【００４２】
この第１の切替動作の後、乗客が小型ビデオコントローラ５ｍを操作して、停止あるいは一時停止を指示し、再度再生等の指示をすると、小型ビデオコントローラ５ｍの小型映像表示部５８で視聴していたＡＶコンテンツを含むＡＶデータがＡＶサーバ３から前座席１ｎの座席端末装置４ｎに配信され、内部の映像音声蓄積部４３に一旦蓄積され、以降は前座席１ｎの座席端末装置４ｎの映像表示部６ｎでの視聴動作に切り替わる。
【００４３】
以上説明したように、本実施の形態では、小型ビデオコントローラ５ｍを設け、小型ビデオコントローラ５ｍはＡＶサーバ３のＡＶコンテンツを受信して、小型映像表示部５８に映像を表示し（図４の６１Ａ）、音声を自座席１ｍの座席端末装置４ｍに送出し、乗客は自座席１ｍのヘッドホン７ｍで聴取する。小型ビデオコントローラ５ｍにて映像を座席端末装置４ｎの映像表示部６ｎでの視聴に切り替えると、小型ビデオコントローラ５ｍは、映像を前座席１ｎの座席端末装置４ｎに送出し（図４の６１Ｂ）、前座席１ｎの映像表示部６ｎに表示し、音声は継続して自座席１ｍのヘッドホン７ｍで聴取される。
【００４４】
このような構成としたので、本実施の形態よれば、乗客に音声の途切れやズレによる不快感を与えることなく視聴する装置を切り替えることが可能である。
【００４５】
なお、本実施の形態では、小型ビデオコントローラ５ｍから座席端末装置４ｎへの視聴の切り替え（第１の切替動作）を行うとしたが、本発明はこれに限らず、座席端末装置４ｎから小型ビデオコントローラ５ｍへの視聴の切り替え（第２の切替操作）を行うとしてもよい。その場合、図４の第２の切替動作において、前述のように、座席端末装置４ｎの映像表示部６ｎでＡＶコンテンツを視聴している状態（図４の６１Ｃ）において、乗客が自座席１ｍの小型ビデオコントローラ５ｍを操作して、小型ビデオコントローラ５ｍの小型映像表示部５８での視聴を選択すると、座席端末装置４ｎは圧縮映像データを内部の映像音声蓄積部４３から小型ビデオコントローラ５ｍに送出し、小型ビデオコントローラ５ｍがこれを内部の映像デコーダ５４で復号化して小型映像表示部５８で表示する（図４の６１Ｄ）。一方、圧縮音声データは、視聴する端末装置を切り替える前と変わらず、座席端末装置４ｎから座席端末装置４ｍ宛に送出され、自座席１ｍのヘッドホン７ｍで音声として聴取される。
【００４６】
なお、本実施の形態では、座席端末装置４ｎ又は小型ビデオコントローラ５ｍは、圧縮音声データを座席端末装置４ｍに送出し、座席端末装置４ｍがこれを内部の音声デコーダ４５で復号化してヘッドホン７ｍで音声として聴取されるとしたが、本発明はこれに限らず、座席端末装置４ｎ又はビデオコントローラ５ｍの内部の音声デコーダ４５又は音声デコーダ５５にて復号化した後に、復号化した音声データを座席端末装置４ｍに送出し、座席端末装置４ｍがこれをヘッドホン７ｍで音声として出力するとしてもよい。
【００４７】
また、本実施の形態では、小型ビデオコントローラ５ｍから座席端末装置４ｎへの視聴の切り替え（第１の切替動作）において、小型ビデオコントローラ５ｍは圧縮映像データを座席端末装置４ｎに送出し、座席端末装置４ｎがこれを内部の映像デコーダ４４で復号化して映像表示部６ｎで表示するとしたが、本発明はこれに限らず、小型ビデオコントローラ５ｍの内部の映像デコーダ５４にて復号化した後に、復号化した映像データを座席端末装置４ｎに送出し、座席端末装置４ｎがこれを映像表示部６ｎで表示するとしてもよい。
【００４８】
また、本実施の形態では、小型ビデオコントローラ５ｍから座席端末装置４ｎへの視聴の切り替え（第１の切替動作）において、小型ビデオコントローラ５ｍ内の映像音声蓄積部４３に蓄積された圧縮映像データは前座席１ｎの座席端末装置４ｎ宛に送出されるとしたが、切り替えの選択にかかわらず、小型ビデオコントローラ５ｍは圧縮映像データを復号化して表示しながら、座席端末装置４ｎ宛に圧縮映像データを送出するとしてもよい。これにより、切り替え時に既に送出され蓄積していた映像を表示することで、より速やかな映像表示が可能となる。
【００４９】
また、本実施の形態では、小型ビデオコントローラ５ｍから座席端末装置４ｎへの視聴の切り替え（第１の切替動作）において、小型ビデオコントローラ５ｍ内の映像音声蓄積部５３に蓄積された圧縮映像データは内部の映像デコーダ５４には渡されなくなるとしたが、本発明はこれに限らず、継続して映像デコーダ５４に渡し、小型映像表示部５８で引き続き表示してもよい。
【００５０】
（実施の形態２）
本発明の実施の形態２にかかるＡＶコンテンツ視聴システム２００について、図５〜図７を参照して以下説明する。
【００５１】
図５は本発明の実施の形態２にかかるＡＶコンテンツ視聴システム２００の全体構成を示すブロック図及び外観斜視図である。図５のＡＶコンテンツ視聴システム２００は例えばビジネスクラス又はファーストクラスの座席にかかる装置構成を図示している。図５の本実施の形態のＡＶコンテンツ視聴システム２００の外観上の構成は、図１の実施の形態１におけるＡＶコンテンツ視聴システム１００と比較して、自座席１ｍの座席端末装置４ｍに接続されている映像表示部６ｍが前面に配置されていることを特徴としている。その他の構成要素は実施の形態１におけるものと同じであるので、同一の符号を付して、既に説明した部分については説明を省略する。
【００５２】
図６は図４の座席端末装置４ｍ及び４ｎ、小型ビデオコントローラ５ｍの詳細構成を示すブロック図である。図６は、図５で説明した自座席１ｍに設置される座席端末装置４ｍと、小型ビデオコントローラ５ｍと、その周辺の構成を示す。ここで、自座席１ｍの座席端末装置４ｍ、小型ビデオコントローラ５ｍを図６の点線枠で示している。各構成要素は実施の形態１におけるものと同じであるので、同一の符号を付して、既に説明した部分については説明を省略する。
【００５３】
以上のように構成されたＡＶコンテンツ視聴システム２００の動作について、図７を参照して以下説明する。図７は図４のＡＶコンテンツ視聴システム２００の各動作を示すタイミングチャートである。まず、ＡＶサーバ３に蓄積されたＡＶコンテンツを、自座席１ｍの乗客が映像表示部６ｍで視聴する場合（第１の基本動作）について説明する。
【００５４】
図７の第１の基本動作において、乗客が自座席１ｍの小型ビデオコントローラ５ｍを操作して、見たいＡＶコンテンツを映像表示部６ｍでの視聴として選択すると、選択情報を含む要求信号は伝送路２を経由してＡＶサーバ３に送信され、ＡＶサーバ３からは該当のＡＶコンテンツを含む圧縮映像データ及び圧縮音声データからなるＡＶデータが自座席１ｍの座席端末装置４ｍに配信され、内部の映像音声蓄積部４３に一旦蓄積される。乗客が小型ビデオコントローラ５ｍを操作して再生等の指示をすると、例えばＣＰＵが所定のソフトウエアを実行することにより（もしくは、専用のハードウエア回路により）ＡＶデータから圧縮映像データ及び圧縮音声データを分離した後、上記映像音声蓄積部４３に蓄積された圧縮映像データは、自座席１ｍの座席端末装置４ｍ内の映像デコーダ４４で復号化されて映像表示部６ｍに表示される。一方、選択した圧縮音声データは、自座席１ｍの座席端末装置４ｍ内の音声デコーダ４５で復号化された後、自座席１ｍのヘッドホン７ｍで音声として聴取される。
【００５５】
次いで、ＡＶサーバ３に蓄積されたＡＶコンテンツを、乗客が小型ビデオコントローラ５ｍの小型映像表示部５８で視聴する場合（第２の基本動作）については、本実施の形態１における動作と同様であり、図７において図示している。
【００５６】
さらに、乗客が小型ビデオコントローラ５ｍでの視聴から、座席端末装置での視聴に切り替える場合（第１の切替動作）について説明する。
【００５７】
図７の第１の切替動作において、自座席１ｍの小型ビデオコントローラ５ｍの小型映像表示部５８でＡＶコンテンツを視聴している状態（図７の６２Ａ）において、乗客が自座席１ｍの小型ビデオコントローラ５ｍを操作して映像表示部６ｍでの視聴を選択すると、小型ビデオコントローラ５ｍ内の映像音声蓄積部５３に蓄積された圧縮映像データは、内部の映像デコーダ５４には渡されず、端末装置Ｉ／Ｆ５７と端末装置伝送路９を介して、自座席１ｍの座席端末装置４ｍ宛に送出される（図７の６２Ｂ）。自座席１ｍの座席端末装置４ｍにおいては、取り込んだ圧縮映像データが映像デコーダ４４で復号化されて映像表示部６ｍに表示される。一方、圧縮音声データは、視聴する端末装置を切り替える前と変わらず、自座席１ｍの小型ビデオコントローラ５ｍから座席端末装置４ｍ宛に送出され、自座席１ｍのヘッドホン７ｍで音声として聴取される。
【００５８】
この場合、圧縮映像データを端末装置伝送路９で伝送する時間だけ映像の表示が遅れるので、視聴切り替えに関わらず、小型ビデオコントローラ５ｍの映像音声蓄積部５３から圧縮映像データを読み出すタイミングを当該時間だけ遅らせて、座席端末装置４ｍの映像及び音声との同期を取るようにしている。この映像との同期を取る方法については、本発明はこれに限らず、映像と音声の圧縮データを同時に読み出して当該時間だけ音声のみを遅延させるための遅延回路を追加してもよい。さらに、映像と音声のデータにタイムスタンプを挿入して再生し、このタイムスタンプに基づいて遅延量を制御すればさらに正確な同期が可能となる。
【００５９】
この第１の切替動作の後、乗客が小型ビデオコントローラ５ｍを操作して、停止あるいは一時停止を指示し、再度再生等の指示をすると、視聴していたＡＶコンテンツを含むＡＶデータがＡＶサーバ３から自座席１ｍの座席端末装置４ｍに配信され、内部の映像音声蓄積部４３に一端蓄積され、以降は映像表示部６ｍでの視聴動作に切り替わる。
【００６０】
以上のように、本実施の形態では、小型ビデオコントローラ５ｍを設け、小型ビデオコントローラ５ｍはＡＶサーバ３のＡＶコンテンツを受信して、小型映像表示部５８に映像を表示し（図７の６２Ａ）、音声は自座席１ｍの座席端末装置４ｍに送出し、自座席１ｍのヘッドホン７ｍで聴取される。ビデオコントローラ５ｍにて映像表示部６ｍでの視聴に切り替えると、小型ビデオコントローラ５ｍは映像を自座席１ｍの座席端末装置４ｍに送出し（図７の６２Ｂ）、自座席１ｍの映像表示部６ｍに表示し、音声は継続して自座席１ｍのヘッドホン７ｍで聴取される。
【００６１】
このような構成としたので、本実施の形態によれば、乗客に音声の途切れやズレによる不快感を与えることなく視聴する装置を切り替えることが可能である。
【００６２】
なお、本実施の形態では、小型ビデオコントローラ５ｍから座席端末装置４ｍへの視聴の切り替え（第１の切替動作）を行うとしたが、本発明はこれに限らず、座席端末装置４ｍから小型ビデオコントローラ５ｍへの視聴の切り替えを行う（第２の切替動作）としてもよい。その場合、図７の切替動作において、前述のように、映像表示部６ｍでＡＶコンテンツを視聴している状態（図７の６２Ｃ）において、乗客が自座席１ｍの小型ビデオコントローラ５ｍを操作して小型ビデオコントローラ５ｍの小型映像表示部５８での視聴を選択すると、座席端末装置４ｍは圧縮映像データを小型ビデオコントローラ５ｍに送出し（図７の６２Ｄ）、小型ビデオコントローラ５ｍがこれを内部の映像デコーダ４４で復号化して、復号化した映像データを小型映像表示部５８で表示する。一方、圧縮音声データは、視聴する端末装置を切り替える前と変わらず、自座席１ｍのヘッドホン７ｍで音声として聴取される。
【００６３】
また、本実施の形態では、実施の形態１と同様に、小型ビデオコントローラ５ｍは圧縮音声データを内部の音声デコーダ４５にて復号化した後に座席端末装置４ｍに送出し、座席端末装置４ｍがこれをヘッドホン７ｍで音声として出力するとしてもよい。
【００６４】
また、本実施の形態では、小型ビデオコントローラ５ｍの小型映像表示部５８から映像表示部６ｍへの視聴の切り替え（第１の切替動作）において、小型ビデオコントローラ５ｍは圧縮映像データを座席端末装置４ｍに送出し、座席端末装置４ｍがこれを内部の映像デコーダ４４で復号化した後に映像表示部６ｍで表示するとしたが、本発明はこれに限らず、小型ビデオコントローラ５ｍの内部の映像デコーダ４４にて復号化して、復号化した映像データを座席端末装置４ｍに送出し、座席端末装置４ｍがこれを映像表示部６ｍで表示するとしてもよい。
【００６５】
また、本実施の形態では、小型ビデオコントローラ５ｍの小型映像表示部５８から映像表示部６ｍへの視聴の切り替え（第１の切替動作）において、小型ビデオコントローラ５ｍ内の映像音声蓄積部４３に蓄積された圧縮映像データは自座席１ｍの座席端末装置４ｍ宛に送出されるとしたが、本発明はこれに限らず、切り替えの選択にかかわらず、小型ビデオコントローラ５ｍは圧縮映像データを復号化して表示しながら、座席端末装置４ｍ宛に圧縮映像データを送出するとしてもよい。これにより、切り替え時に既に送出され蓄積していた映像を表示することで、より速やかな映像表示が可能となる。
【００６６】
また、本実施の形態では、小型ビデオコントローラ５ｍから座席端末装置４ｍへの視聴の切り替え（第１の切替動作）において、小型ビデオコントローラ５ｍ内の映像音声蓄積部５３に蓄積された圧縮映像データは内部の映像デコーダ５４には渡されなくなるとしたが、本発明はこれに限らず、継続して映像デコーダ５４に渡し、小型映像表示部５８で引き続き表示してもよい。
【００６７】
（実施の形態３）
図８は本発明の実施の形態３にかかるＡＶコンテンツ視聴システム３００の全体構成を示すブロック図及び外観斜視図である。また、図９は図８の座席端末装置４ｍ，４ｎ及び小型ビデオコントローラ５ｍの詳細構成を示すブロック図である。図８及び図９の実施の形態３にかかるＡＶコンテンツ視聴システム３００は、図１の実施の形態１にかかるＡＶコンテンツ視聴システム１００に比較して、
（１）ヘッドホン７ｍを、自座席１ｍの座席端末装置４ｍに接続することに代えて、前座席１ｎの座席端末装置４ｎに接続したこと、並びに、
（２）前面の映像表示部６ｎを用いて視聴する場合において、前座席１ｎの座席端末装置４ｎが圧縮映像データ及び圧縮音声データの処理を行うことを特徴としている。
【００６８】
図１０は図８のＡＶコンテンツ視聴システム３００の各動作を示すタイミングチャートである。図１０の基本動作及び切替動作（図１０の６３Ａから６３Ｂへの切り替え）は、図７の第２の基本動作及び第１の切替動作に対応し、これらの動作は、自座席１ｍの座席端末装置４ｍが前座席１ｎに移動したのみで実施の形態２の動作と同様である。
【００６９】
（実施の形態４）
図１１は本発明の実施の形態４にかかるＡＶコンテンツ視聴システム４００の全体構成を示すブロック図及び外観斜視図である。また、図１２は図１１の座席端末装置４ｍ，４ｎ及び小型ビデオコントローラ５ｍの詳細構成を示すブロック図である。図１１及び図１２の実施の形態４にかかるＡＶコンテンツ視聴システム４００は、図１の実施の形態１にかかるＡＶコンテンツ視聴システム１００に比較して、
（１）小型ビデオコントローラ５ｍを、自座席１ｍの座席端末装置４ｍに接続することに代えて、前座席１ｎの座席端末装置４ｎに接続したことを特徴とし、
（２）前面の映像表示部６ｎを用いて視聴する場合において、前座席１ｎの座席端末装置４ｎが圧縮映像データの処理を行うことは実施の形態１と同様である。
【００７０】
図１３は図１１のＡＶコンテンツ視聴システム４００の各動作を示すタイミングチャートである。図１３の基本動作及び切替動作（図１３の６４Ａから６４Ｂへの切り替え）は、図４の第２の基本動作及び第１の切替動作に対応し、これらの動作は実施の形態１の動作と同様である。
【００７１】
（実施の形態５）
図１４は本発明の実施の形態５にかかるＡＶコンテンツ視聴システム５００の全体構成を示すブロック図及び外観斜視図である。図１４の実施の形態５にかかるＡＶコンテンツ視聴システム５００は、図１の実施の形態１にかかるＡＶコンテンツ視聴システム１００と比較して、ヘッドホン７ｍ及び小型ビデオコントローラ５ｍを、自座席１ｍの座席端末装置４ｍに接続することに代えて、前座席１ｎの座席端末装置４ｎに接続したことを特徴としている。以上のように構成することにより、映像表示部６ｎ、小型ビデオコントローラ５ｍ及びヘッドホン７ｍがともに前座席１ｎの座席端末装置４ｎに接続されており１つの装置により圧縮映像データ及び圧縮音声データの処理が実行されるので、基本動作及び切替動作は実施の形態２と同様である。
【００７２】
（実施の形態６）
図１５は本発明の実施の形態６にかかるＡＶコンテンツ視聴システム６００の全体構成を示すブロック図及び外観斜視図である。図１５の実施の形態６にかかるＡＶコンテンツ視聴システム６００は、図１の実施の形態１にかかるＡＶコンテンツ視聴システム１００に比較して、
（１）小型ビデオコントローラ５ｍを、自座席１ｍの座席端末装置４ｍに接続することに代えて、伝送路２に直接に接続したこと、並びに、
（２）前記（１）に伴い、小型ビデオコントローラ５ｍは、端末装置Ｉ／Ｆ５７に代えて、ネットワークＩ／Ｆ４６を備えたことを特徴としている。
【００７３】
以上のように構成することにより、小型ビデオコントローラ５ｍは、圧縮音声データを自座席１ｍの座席端末装置４ｍに転送するとともに、圧縮映像データを前座席１ｎの座席端末装置４ｎに転送する。従って、当該基本動作は、実施の形態１にかかる図４の第２の基本動作に対応する。
【００７４】
（実施の形態７）
図１６は本発明の実施の形態７にかかるＡＶコンテンツ視聴システム７００の全体構成を示すブロック図及び外観斜視図である。図１６の実施の形態７にかかるＡＶコンテンツ視聴システム７００は、図１の実施の形態１にかかるＡＶコンテンツ視聴システム１００に比較して、
（１）小型ビデオコントローラ５ｍを、自座席１ｍの座席端末装置４ｍに接続することに代えて、伝送路２に直接に接続したこと、並びに、
（２）前記（１）に伴い、小型ビデオコントローラ５ｍは、端末装置Ｉ／Ｆ５７に代えて、ネットワークＩ／Ｆ４６を備え、
（３）ヘッドホン７ｍを前座席１ｎの座席端末装置４ｎに接続したことを特徴としている。
【００７５】
以上のように構成することにより、小型ビデオコントローラ５ｍは、圧縮音声データ及び圧縮映像データを前座席１ｎの座席端末装置４ｎに転送する。従って、当該基本動作は、実施の形態３にかかる図１０の基本動作及び切替動作に対応する。
【００７６】
（変形例）
以上の各実施の形態においては、ヘッドホン７ｍ，７ｎを用いているが、本発明はこれに限らず、ヘッドホン７ｍ，７ｎに代えて、自座席又は前座席に設けられ、音声デコーダ４５，５５に接続されたアンプ付きスピーカ、もしくは、音声デコーダ４５，５５からアンプを介して接続されたスピーカを用いてもよい。
【産業上の利用可能性】
【００７７】
以上詳述したように、本発明にかかるＡＶコンテンツ視聴システムによれば、航空機などの旅客移動体の客室内に設置される各座席に搭載、配備されて、映画、音楽などのＡＶソフトやゲームソフトを視聴するＡＶコンテンツ視聴システムに有用であり、バス、鉄道などの車両やフェリー、客船などの船舶などの公共交通機関にも利用することができる。
【符号の説明】
【００７８】
１ｍ，１ｎ…座席、
２…伝送路、
３…ＡＶサーバ、
４ｍ，４ｎ…座席端末装置、
５ｍ，５ｎ…小型ビデオコントローラ、
６ｍ，６ｎ…映像表示部、
７ｍ，７ｎ…ヘッドホン、
８…乗務員室、
８ａ…マイクロホン、
８ｂ…ＩＰアダプタ、
９…端末装置伝送路、
４０，５０…バス、
４１，５１…ＣＰＵ、
４２，５２…ＲＯＭ、
４３，５３…映像音声蓄積部、
４４，５４…映像デコーダ、
４５，５５…音声デコーダ、
４５ａ…ヘッドホン端子、
４６…ネットワークＩ／Ｆ、
４７，５７…端末装置Ｉ／Ｆ、
４７ａ…コントローラ用端子、
５８…小型映像表示部、
５９…コントロールＩ／Ｆ、
５９Ａ…操作部、
１００，２００，３００，４００，５００，６００，７００…ＡＶコンテンツ視聴システム。
【図１】
2013031160.tif 000003
【図２】
2013031160.tif 000004
【図３】
2013031160.tif 000005
【図４】
2013031160.tif 000006
【図５】
2013031160.tif 000007
【図６】
2013031160.tif 000008
【図７】
2013031160.tif 000009
【図８】
2013031160.tif 000010
【図９】
2013031160.tif 000011
【図１０】
2013031160.tif 000012
【図１１】
2013031160.tif 000013
【図１２】
2013031160.tif 000014
【図１３】
2013031160.tif 000015
【図１４】
2013031160.tif 000016
【図１５】
2013031160.tif 000017
【図１６】
2013031160.tif 000018
【図１７】
2013031160.tif 000019